(57)【要約】【課題】容易に綴じることができるとともに綴じられた被綴じ物が抜け出ることがない表紙を提供することである。【解決手段】  表紙１００は、対向する挟持体２０、２２の開口部２６の間に挟持される表紙であって、表表紙部１０２と、裏表紙部１０４と、前記表表紙部１０２と裏表紙部１０４とを挟持される側においてそれを連接する介在部１０６と、前記表表紙部１０２及び／又は裏表紙部１０４の外側において表紙１００を挟持体２０、２２内に挿入することを容易にするために形成された突出部１０８とを備える。【選択図】図２
2008194833.tif 000002
【特許請求の範囲】
【請求項１】
対向する挟持体の開口部の間に挟持される表紙であって、
表表紙部と、裏表紙部と、前記表表紙部と裏表紙部とを挟持される側においてそれを連接する介在部と、前記表表紙部及び／又は裏表紙部の外側において表紙を挟持体内に挿入することを容易にするために形成された突出部とを備えた、表紙。
【請求項２】
突出部は、表表紙部及び／又は裏表紙部の挟持される側の端縁において、挟持される側とは反対側の開放される側の端縁に向けて突出し、挟持体の開口部より内側に収容される長さを有し、挟持体の内側面に接するように形成された、請求項１に記載の表紙。
【請求項３】
突出部は、挟持体の長さ方向にのびる長さを有するシートを折り曲げて先端縁が形成され、先端縁を介して連接された突出シートが先端縁とは反対側において、直接的に又は間接的に表表紙部及び／又は裏表紙部の挟持される側の端縁に連接された、請求項２に記載の表紙。
【請求項４】
方形の合成樹脂シート及び／又は紙からなる表表紙部と、
方形の合成樹脂シート及び／又は紙からなる裏表紙部と、
前記表表紙部の挟持される側の端縁に連接され、又は、前記裏表紙部の挟持される側の端縁に連接され、前記表表紙部及び裏表紙部の長さと略同じ長さを有し、挟持体の開口部とは反対側の連設部より幅狭の方形の合成樹脂シート及び／又は紙からなる介在部と、
前記介在部の表表紙部又は裏表紙部と連接された端縁とは反対側の端縁にヒンジ部を介して連接された第１の突出シートと、前記第１の突出シートと連接され、且つ、前記介在部と連接されていない表表紙部又は裏表紙部の端縁と連接された第２の突出シートとを備え、第１の突出シート及び第２の突出シートは、挟持体の開口部より内側に収容されるように形成された、方形の合成樹脂シート及び／又は紙からなる、突出部とを含み、
前記突出部は、表紙を挟持体に挟み込むときに、挟持体の内側に接して挟持体の開口部とは反対側で開口部より幅広の領域に向けて表紙とともに被綴じ物が入り込むために案内するように形成された、請求項１ないし３のいずれかに記載の表紙。
【請求項５】
表表紙部、裏表紙部、介在部及び突出部は、合成樹脂シート及び／又は紙で一体成形してなる、請求項１ないし４のいずれかに記載の表紙。
【発明の詳細な説明】
【技術分野】
【０００１】
この発明は、表紙に関し、特に、例えば書類等の被綴じ物の端縁近傍を挟みスライドさせて綴じる綴じ具に用いて好適な表紙に関する。
【背景技術】
【０００２】
従来、図２２及び図２３において示すような、表紙１に書類２を挟み、三角状のレール３をスライドさせて綴じる、スライドレール式ファイルがある（非特許文献１参照）。
【０００３】
【非特許文献１】「ＬＩＨＩＴ  ＬＡＢ．総合カタログ４２号（２００５年度版）」株式会社ＬＩＨＩＴ  ＬＡＢ．、２００５年１月１日、１１４頁
【発明の開示】
【発明が解決しようとする課題】
【０００４】
従来の三角状のレール３は、用紙２が、見開いた時に左右に引っ張られ、レール３から抜け出るという問題がある。
特に、用紙を綴じる枚数が多い程用紙が抜けやすくなる。
非特許文献１のファイルは、特に、挟持具たる三角状のレール３の弾力性によって綴じられた書類２を保持できない場合のことを考慮して、強く用紙２を挟持できるようにしている。
そのために、三角状のレール３をスライドして用紙２等の被綴じ物をとめるときに、表紙１に書類２を挟んだ被綴じ物を差し込みにくいという問題がある。
【０００５】
それゆえに、この発明の主たる目的は、容易に綴じることができるとともに綴じられた被綴じ物が抜け出ることがない表紙を提供することである。
【課題を解決するための手段】
【０００６】
この発明にかかる表紙は、対向する挟持体の開口部の間に挟持される表紙であって、表表紙部と、裏表紙部と、前記表表紙部と裏表紙部とを挟持される側においてそれを連接する介在部と、前記表表紙部及び／又は裏表紙部の外側において表紙を挟持体内に挿入することを容易にするために形成された突出部とを備えた、表紙である。
この発明の請求項２にかかる表紙は、突出部は、表表紙部及び／又は裏表紙部の挟持される側の端縁において、挟持される側とは反対側の開放される側の端縁に向けて突出し、挟持体の開口部より内側に収容される長さを有し、挟持体の内側面に接するように形成された、請求項１に記載の表紙である。
この発明の請求項３にかかる表紙は、突出部は、挟持体の長さ方向にのびる長さを有するシートを折り曲げて先端縁が形成され、先端縁を介して連接された突出シートが先端縁とは反対側において、直接的に又は間接的に表表紙部及び／又は裏表紙部の挟持される側の端縁に連接された、請求項１または２に記載の表紙である。
この発明の請求項４にかかる表紙は、方形の合成樹脂シート及び／又は紙からなる表表紙部と、方形の合成樹脂シート及び／又は紙からなる裏表紙部と、前記表表紙部の挟持される側の端縁に連接され、又は、前記裏表紙部の挟持される側の端縁に連接され、前記表表紙部及び裏表紙部の長さと略同じ長さを有し、挟持体の開口部とは反対側の連設部より幅狭の方形の合成樹脂シート及び／又は紙からなる介在部と、前記介在部の表表紙部又は裏表紙部と連接された端縁とは反対側の端縁にヒンジ部を介して連接された第１の突出シートと、前記第１の突出シートと連接され、且つ、前記介在部と連接されていない表表紙部又は裏表紙部の端縁と連接された第２の突出シートとを備え、第１の突出シート及び第２の突出シートは、挟持体の開口部より内側に収容されるように形成された、方形の合成樹脂シート及び／又は紙からなる、突出部とを含み、前記突出部は、表紙を挟持体に挟み込むときに、挟持体の内側に接して挟持体の開口部とは反対側で開口部より幅広の領域に向けて表紙とともに被綴じ物が入り込むために案内するように形成された、請求項１ないし３のいずれかに記載の表紙である。
この発明の請求項５にかかる表紙は、表表紙部、裏表紙部、介在部及び突出部は、合成樹脂シート及び／又は紙で一体成形してなる、請求項１ないし４のいずれかに記載の表紙である。
【発明の効果】
【０００７】
この発明によれば、対向する挟持体の開口部の間に挟持される表紙であって、表表紙部と、裏表紙部と、前記表表紙部と裏表紙部とを挟持される側においてそれを連接する介在部と、前記表表紙部及び／又は裏表紙部の外側において表紙を挟持体内に挿入することを容易にするために形成された突出部とを備えているので、表紙を対向する挟持体の間に容易に差し込み、綴じることができるとともに綴じられた被綴じ物が抜け出ることがない。
請求項２の発明によれば、突出部は、表表紙部及び／又は裏表紙部の挟持される側の端縁において、挟持される側とは反対側の開放される側の端縁に向けて突出し、挟持体の開口部より内側に収容される長さを有し、挟持体の内側面に接するように形成されているので、表紙を対向する挟持体の間に容易に差し込み、綴じることができるとともに綴じられた被綴じ物が抜け出ることがない。
請求項３の発明によれば、突出部は、挟持体の長さ方向にのびる長さを有するシートを折り曲げて先端縁が形成され、先端縁を介して連接された突出シートが先端縁とは反対側において、直接的に又は間接的に表表紙部及び／又は裏表紙部の挟持される側の端縁に連接されているので、先端縁が挟持体に沿って移動し、表紙を対向する挟持体の間に容易に差し込み、綴じることができるとともに綴じられた被綴じ物が抜け出ることがない。
請求項４の発明によれば、方形の合成樹脂シート及び／又は紙からなる表表紙部と、方形の合成樹脂シート及び／又は紙からなる裏表紙部と、前記表表紙部の挟持される側の端縁に連接され、又は、前記裏表紙部の挟持される側の端縁に連接され、前記表表紙部及び裏表紙部の長さと略同じ長さを有し、挟持体の開口部とは反対側の連設部より幅狭の方形の合成樹脂シート及び／又は紙からなる介在部と、前記介在部の表表紙部又は裏表紙部と連接された端縁とは反対側の端縁にヒンジ部を介して連接された第１の突出シートと、前記第１の突出シートと連接され、且つ、前記介在部と連接されていない表表紙部又は裏表紙部の端縁と連接された第２の突出シートとを備え、第１の突出シート及び第２の突出シートは、挟持体の開口部より内側に収容されるように形成された、方形の合成樹脂シート及び／又は紙からなる、突出部とを含み、前記突出部は、表紙を挟持体に挟み込むときに、挟持体の内側に接して挟持体の開口部とは反対側で開口部より幅広の領域に向けて表紙とともに被綴じ物が入り込むために案内するように形成されているので、突出部により案内されて移動し、表紙を対向する挟持体の間に容易に差し込み、綴じることができるとともに綴じられた被綴じ物が抜け出ることがない。
請求項５の発明によれば、表表紙部、裏表紙部、介在部及び突出部は、合成樹脂シート及び／又は紙で一体成形してなるので、形成が容易で、突出部に弾力性をもたせることができる。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
図１は、この発明の一実施の形態である綴じ具の斜視図である。
図２は、図１図示綴じ具の挟持具に表紙部材及び被綴じ物を挟み込む前の状態を示す斜視図解図である。
図３は、図１図示綴じ具の挟持具に表紙部材及び被綴じ物を挟み込む方法を示す斜視図解図である。
図４は、図１図示綴じ具の挟持具に表紙部材及び被綴じ物を挟み込む方法を示す斜視図解図である。
図５は、表紙部材を展開した状態における平面図解図である。
図６は、表紙部材の要部の一部を断面とした斜視図解図である。
図７は、図１図示綴じ具の挟持具の斜視図解図である。
図８は、図１図示綴じ具の挟持具の横断面図である。
図９は、被綴じ物を挟持した状態における図１図示綴じ具の横断面図解図である。
図１０は、図１図示綴じ具の挟持具の平面図である。
【００１０】
綴じ具１０は、表紙部材１００に書類等の被綴じ物Ｓを挟み、表紙を構成する表紙部材１００とともに挟持具１２に差し込みスライドさせて被綴じ物Ｓを止めるスライド式ファイルである。
この綴じ具１０は、綴じ孔Ｓ１を有する被綴じ物Ｓを、嵌挿されて保持する挟持具１２と、挟持具１２に保持された被綴じ物Ｓの綴じ孔Ｓ１に嵌挿され且つ挟持具１２に固定される綴杆部材１４とを備える。
【００１１】
挟持具１２は、被綴じ物Ｓの一方面を保持する第１挟持体２０と、被綴じ物Ｓの他方面を保持する第２挟持体２２と、第１挟持体２０と第２挟持体２２とを連設する連設部２４とを備え、対向する第１挟持体２０と第２挟持体２２とは、連設部２４により連設されるとともに連設部２４とは反対側の第１挟持体２０及び第２挟持体２２のそれぞれの自由端に開口部たる挿入部２６を形成され、弾力性を有する、例えばポリアセタール樹脂によって全体が一体成形されてなる。
第１挟持体２０及び第２挟持体２２は、挿入部２６側の自由端が断面略円形状の第１口唇状縁２０ａ及び第２口唇状縁２２ａが長手方向に連続して形成され、第１挟持体２０の第１口唇状縁２０ａと第２挟持体２２の第２口唇状縁２２ａとは、被綴じ物Ｓを綴じていないときには接し合っており、被綴じ物Ｓを綴じたときには被綴じ物Ｓの表面側及び裏面側より挟んで弾力性により押圧する。
【００１２】
表紙部材１００は、第１挟持体２０と第２挟持体２２との間の開口部の間に挟持される表紙を構成し、表表紙部１０２と、前記表表紙部１０２と対向する裏表紙部１０４と、前記表表紙部１０２と裏表紙部１０４とを挟持される側においてそれらを連接する介在部１０６と、前記表表紙部１０２及び／又は裏表紙部１０４の外側において表紙部材１００を挟持具１２内に挿入することを容易にするための突出部１０８とを備える。
【００１３】
表表紙部１０２は、方形の合成樹脂シートからなり、裏表紙部１０４は、方形の合成樹脂シートからなる。
介在部１０６は、前記表表紙部１０２の挟持される側の端縁に連接され、又は、前記裏表紙部１０４の挟持される側の端縁に連接され、前記表表紙部１０２及び裏表紙部１０４の長さと略同じ長さを有し、第１挟持体２０及び第２挟持体２２の挿入部２６とは反対側の連設部２４より幅狭の方形の合成樹脂シートからなる。
【００１４】
突出部１０８は、前記介在部１０６の裏表紙部１０４と連接された端縁とは反対側の端縁に第１ヒンジ部１１２を介して連接された第１の突出シート１１０と、前記第１の突出シート１１０と連接され、且つ、表表紙部１０２の端縁と連接された第２の突出シート１１４とを備え、第１の突出シート１１０及び第２の突出シート１１４は、第１挟持体２０の第１口唇状縁２０ａより内側に収容されるように形成された、方形の合成樹脂シートからなる。
【００１５】
第１の突出シート１１０は、表表紙部１０２及び裏表紙部１０４と略々同じ長さ（高さ）を備え、第２の突出シート１１４は、表表紙部１０２及び裏表紙部１０４と略々同じ長さ（高さ）を備えており、第１の突出シート１１０と第２の突出シート１１４とは、略々同じ幅を備え、合成樹脂シートをミシン目加工してミシン目１２０ａを折り曲げて第１の突出シート１１０と第２の突出シート１１４とを対向させ、突出部１０８の先端縁１２０を形成している。
突出部１０８は、表表紙部１０２及び／又は裏表紙部１０４の挟持される側の（長手）端縁において、挟持される側とは反対側の開放される側の（長手）端縁に向けて突出し、第１挟持体２０の第１口唇状縁２０ａ又は第２挟持体２２の第２口唇状縁２２ａより内側に収容される長さを有し、第１挟持体２０又は第２挟持体２２の内側面に接するように形成されている。
【００１６】
表表紙部１０２は、第２ヒンジ部１１６を介して突出部１０８と連接され、突出部１０８は、第１ヒンジ部１１２を介して介在部１０６と連接され、裏表紙部１０４は、第３ヒンジ部１１８を介して、介在部１０６の突出部１０８に連接されていない側において介在部１０６と連接されている。
【００１７】
表表紙部１０２、裏表紙部１０４、介在部１０６及び突出部１０８は、図５で示す一枚の略方形のポリプロピレン等の合成樹脂シートで一体成形してなる。
裏表紙部１０４と介在部１０６との間の第３ヒンジ部１１８及び介在部１０６と突出部１０８との間の第１ヒンジ部１１２は、該合成樹脂シートをトムソン加工して折り曲げることにより形成され、突出部１０８の第１の突出シート１１０と第２の突出シート１１４との間の先端縁１２０及び突出部１０８の第２の突出シート１１４と表表紙１０２との間の第２のヒンジ部１１６は、合成樹脂シートをミシン目加工して折り曲げることにより形成される。
第３のヒンジ部１１８は、裏表紙部１０４と介在部１０６とが略々直交するように折り曲げられ、第１のヒンジ部１１２は、介在部１０６と突出部１０８の第１の突出シート１１０とが略々直交するように折り曲げられ、先端縁１２０を形成するためのミシン目１２０ａは、第１の突出シート１１０と第２の突出シート１１４とが鋭角に交差するように折り曲げられ、ヒンジ部１１６は、第２の突出シート１１４と表表紙部１０２とが鋭角に交差するように折り曲げられる。
【００１８】
そして、第１の突出シート１１０は、介在部１０６側より表紙部材１００の開放される側に向けてのび、第２の突出シート１１４は、第１の突出シート１１０の先端縁１２０側より介在部１０６側に向けてのび、表表紙部１０２は、第２の突出シート１１４の介在部１０６側の第２のヒンジ部１１６から開放される側に向けてのびる。
表表紙部１０２、裏表紙部１０４、介在部１０６及び突出部１０８を構成する合成樹脂シートは、弾力性を有しているので原形に復しようとして、第１の突出シート１１０と第２の突出シート１１４とは先端縁１２０を中心にして対向面が離れるように作用し、又、第２の突出シート１１４と表表紙部１０２とは第２のヒンジ部１１６を中心にして対向面が離れるように作用する。
突出部１０８は、表紙部材１００を挟持具１２に挟み込むときに、第１挟持体２０又は第２挟持体２２の内側に接して第１挟持体２０及び第２挟持体２２の挿入部２６とは反対側で挿入部２６より幅広の領域に向けて表紙部材１００とともに被綴じ物Ｓが入り込むために案内するように形成されるとともに、表紙部材１００を挟持具１２に挟み込んだ後は、表紙部材１００が挟持具１２から抜け出ないように形成されている。
このように、合成樹脂シートには、折り曲げ加工できる弾力性を有する、紙、樹脂含浸紙、合成樹脂シートと紙との積層材等の均等物を含んでいる。
【００１９】
綴杆部材１４は、被綴じ物Ｓの綴じ孔Ｓ１に貫挿される挿入杆部４０と、第１挟持体２０の第１綴杆装入孔２８の周囲に係止されるように、挿入杆部４０の一端側に形成された係止頭部４２と、第１挟持体２０の厚さ分の間隔をおいて係止頭部４２より離れた位置に、挿入杆部４０の外表面に部分的に突き出し設けられた掛止抜止部４４とを有し、ポリアセタール樹脂によって一体成形されてなる。
【００２０】
挟持具１２の第１挟持体２０は、被綴じ物Ｓの綴じ孔Ｓ１に貫挿される綴杆部材１４の挿入杆部４０を挿入する第１綴杆装入孔２８が貫設されている。また、挟持具１２の第２挟持体２２は、前記第１挟持体２０の第１綴杆装入孔２８に挿入され且つ被綴じ物Ｓの綴じ孔Ｓ１に貫挿された挿入杆部４０の先端部を挿入する第２綴杆装入孔３０が貫設されている。
【００２１】
第１挟持体２０は、第１綴杆装入孔２８の外周に、第１綴杆装入孔２８に続く前記綴杆部材１４の掛止抜止部４４を挿入するための掛止抜止部挿入孔３２が形成されている。掛止抜止部挿入孔３２は、平面視半円形状で、第１挟持体２０の長手方向に分かれて一対形成され、分かれた掛止抜止部挿入孔３２と掛止抜止部挿入孔３２とは２回回転対称性（１回転の２分の１回転させたときにもとの図形と一致する対称性）を有するように形成されている。
分かれた掛止抜止部挿入孔３２と掛止抜止部挿入孔３２との近傍、すなわち第１挟持体２０の長手方向において、手前側と向こう側とに、掛止抜止部挿入孔３２及び掛止抜止部挿入孔３２より少し距離をおいて、一対の凸部３６と凸部３６が突設されている。凸部３６は、綴杆部材１４を第１挟持体２０にロック固定するために形成されている。
また、第１挟持体２０は、前記掛止抜止部挿入孔３２が形成された以外の領域、すなわち、第１綴杆装入孔２８の縁であって掛止抜止部挿入孔３２が形成された以外の領域に、掛止抜止部４４を係止する係止領域が形成されている。
【００２２】
第１挟持体２０の外表面は、第１綴杆装入孔２８の周囲に綴杆部材１４の係止頭部４２を受容する段差部３４が形成されている。
そして、段差部３４は、被綴じ物Ｓを差し込むための差し込み側の一端が、自由端の中央に向かうに従ってその高さが高くなるような、内面が凸条の案内部３４ａを形成され、被綴じ物Ｓを表紙部材１００に挟み込むために挿入部２６より被綴じ物Ｓとともに挟持具１２に差し込みスライドさせて挟持させるとき、表紙部材１００の突出部１０８の先端縁１２０が接して、挿入部２６より広い連設部２４側に向けて案内し、表紙部材１００の挿入を容易化している。案内部３４ａは、第１挟持体２０の長さ方向における向こう側から手前側に連続して形成され、連設部２４側から挿入部２６側に向かうに従って突き出た、連設部２４に対向する凸条傾斜面を備える。
【００２３】
第１挟持体２０及び綴杆部材１４は、綴杆部材１４の係止頭部４２と掛止抜止部４４との間において、第１綴杆装入孔２８に挿入された綴杆部材１４の挿入杆部４０と第１挟持体２０とがほぼ直交して固定されるように、挿入杆部４０の直径よりわずかに長い直径を有する略円形の第１綴杆装入孔２８が形成されている。
また、第２挟持体２２は、第１挟持体２０と第２挟持体２２との間の挿入部２６の間隔が広いときと狭いときのいずれも、前記綴杆部材１４の挿入杆部４０を貫挿されるように、挿入杆部４０の直径より長い長径（長軸）を有する略楕円形の第２綴杆装入孔３０が形成されている。
第２綴杆装入孔３０は、その長径（長軸）が第２挟持体２２の幅方向に伸びるように形成されている。
【００２４】
係止頭部４２は、挟持具１２の第１綴杆装入孔２８の長さよりも長くのびる長さを備えた、略楕円状の基板４２ａと、基板４２ａの上面の中央（挿入杆部４０の上部）に突設された平面視円形状の膨出部４２ｂと、平面視円形状の膨出部４２ｂの中央において、基板４２ａの短軸側に向けてのびる長溝４２ｃとを備える。基板４２ａの裏面（下面）は、第１挟持体２０の上面と略々密に接しながら円滑に係止頭部４２を回転させるための平面部４２ｄが基板４２ａの長軸に沿って伸びるように形成され、平面部４２ｄの両側すなわち基板４２ａの短径（短軸）方向における両端縁近傍には傾斜面部４２ｅ及び傾斜面部４２ｅが線対称に形成されている。
長溝４２ｃは、掛止抜止部４４の突き出された方向にのびる溝であり、コイン等の円板状の回転補助具Ｃの厚み分の幅を有している。
【００２５】
掛止抜止部４４は、左右一対形成され、左右の掛止抜止部４４と掛止抜止部４４とは挿入杆部４０のまわりに１８０度回転させたときに一致する軸対称性（２回回転対称性）を有しており、第１挟持体２０と第２挟持体２２との間の挿入部２６の間隔が広いときと狭いときのいずれも、被綴じ物Ｓの綴じ孔Ｓ１に収容されるような高さ分、挿入杆部４０より挿入杆部４０の軸方向と直交する方向に向けて突設されている。
掛止抜止部４４は、掛止抜止部４４の裏面と対向する上面が、挿入杆部４０の回転を円滑化するために、円弧状に形成され、又、挿入杆部４０の先端側である下部が、第１綴杆装入孔２８への挿入を円滑化するために、下方に至るに従って低くなっている。
【００２６】
また、被綴じ物Ｓは紙箋が重ねられた紙箋群からなるが、被綴じ物Ｓの厚みが厚いときには第１挟持体２０と第２挟持体２２との間の挿入部２６の間隔が広くなり、第２挟持体２２と挿入杆部４０とが略直交するような角度となり、被綴じ物Ｓの綴じ孔Ｓ１の孔縁とも略平行となる。
一方、被綴じ物Ｓの厚みが薄いときには、第１挟持体２０と第２挟持体２２との間の挿入部２６の間隔が狭くなり、第２挟持体２２と挿入杆部４０とが斜交するような角度となり、被綴じ物Ｓの綴じ孔Ｓ１の孔縁とも斜交する。
そして、綴じ孔Ｓ１は、規格（例えば、日本工業規格ＪＩＳ）でその直径が決められている。
而して、綴杆部材１４の挿入杆部４０の形状と掛止抜止部４４の形状は、綴杆部材１４を被綴じ物Ｓの綴じ孔Ｓ１に嵌挿されないということのないようにするために、第２挟持体２２と挿入杆部４０が斜交したときに綴じられた被綴じ物Ｓの綴じ孔Ｓ１の孔縁に接近しても軽く触れるか又は全く接触しないように、挿入杆部４０の軸方向と直交ないしは斜交する方向における幅を、被綴じ物Ｓの綴じ孔Ｓ１に収容されるように規定する必要がある。
【００２７】
綴杆部材１４は、第１挟持体２０の第１綴杆装入孔２８に固定された係止頭部４２の下表面、すなわち、第１挟持体２０の外表面に対向する表面に、凹部４６が形成され、綴杆部材１４の凹部４６を第１挟持体２０の外表面に突設された凸部３６に嵌合して、第１挟持体２０に固定される。
綴杆部材１４は、挿入杆部４０を中心にして第１綴杆挿入孔２８内において回転させることができ、基板４２ａの裏面（下面）の傾斜面部４２ｅにより凸部３６と突き当たることなく、円滑に回転させて、綴杆部材１４の凹部４６を第１挟持体２０の外表面に突設された凸部３６に嵌合させることができる。
このように、綴杆部材１４は、挿入杆部４０（軸）のまわりに１回転の２分の１だけ回転させたときにもとの図形と一致する軸対称性を有している。
【００２８】
被綴じ物Ｓは、紙箋等のように比較的柔らかいものの場合、その被綴じ物Ｓの表面及び裏面に表紙部材１００が重ねられる。
表表紙部１０２と裏表紙部１０４の綴じ代側端縁近傍には、被綴じ物Ｓの綴じ孔Ｓ１と同じ位置に表表紙部綴じ孔１３０及び裏表紙部綴じ孔１３２が穿設されている。表表紙部１０２の表表紙部綴じ孔１３０と裏表紙部１０４の裏表紙部綴じ孔１３２とは、綴杆部材１４の挿入杆部４０及び掛止抜止部４４を挿入することができるように、形状及び位置が構成されている。表表紙部綴じ孔１３０及び裏表紙部綴じ孔１３２は、被綴じ物Ｓと綴じ孔Ｓ1と一直線状に並ぶように構成されている。
【００２９】
そして、表紙部材１００の表表紙部１０２と裏表紙部１０４との間に挟みこまれた被綴じ物Ｓは、表紙部材１００とともにその綴じ代側を挟持具１２の挿入部２６にスライドして嵌挿させる。
このとき、表紙部材１００の突出部１０８は、表表紙部１０２及び／又は裏表紙部１０４の挟持される側の（長手）端縁において、挟持される側とは反対側の開放される側の（長手）端縁に向けて突出し、第１挟持体２０（又は第２挟持体２２）の挿入部２６より内側に収容される長さを有し、特に表紙部材１００の突出部１０８の先端縁１２０が第１挟持体２０の段差３４の内面の凸条の案内部３４ａの内側面（連設部２４側の面）に接するように形成されているので、案内部３４ａに先端縁１２０が沿って差し込まれ挿入部２６より広い連設部２４側に向けて押されて案内される。
而して、比較的軽く円滑に挟持具１２をスライドして被綴じ物Ｓを挟み込んだ表紙部材１００が差し込まれ、第１挟持体２０と第２挟持体２２との間に、表紙部材１００が被綴じ物Ｓとともに挟持される。
【００３０】
そして、挟持具１２に保持された被綴じ物Ｓの綴じ孔Ｓ１に第１挟持体２０の第１綴杆装入孔２８より綴杆部材１４の挿入杆部４０を挿入し、綴杆部材１４の掛止抜止部４４を第１挟持体２０の掛止抜止部挿入孔３２より挿入し、第２挟持体２２の第２綴杆装入孔３０にいたらしめ、第２綴杆装入孔３０より突き出るようにして、係止頭部４２と掛止抜止部４４との間の首部４０ａを第１挟持体２０の第１綴杆装入孔２８にいたらしめて係止頭部４２を９０度旋回し、係止頭部４２の裏面（下面）に設けられた凹部４６を第１挟持体２０の外表面に設けられた凸部３６に嵌入させる。
而して、綴杆部材１４は、挟持具１２に第１挟持体２０から第２挟持体２２に跨った状態で被綴じ物Ｓを固定することができる。
【００３１】
この綴じ具は、この発明の思想に基づき種々変更することができる。
例えば、挟持具や表紙部材の突出部の形状を種々変更できる。
図１９は、図１図示綴じ具の変形例の斜視図解図である。
図２０は、図１９図示綴じ具の断面図解図である。
図２１は、図１９図示綴じ具の挟持具に表紙部材及び被綴じ物を挟み込む方法を示す斜視図解図である。
綴じ具２１０は、表紙部材１００に書類等の被綴じ物Ｓを挟み、表紙部材１００とともに挟持具２１２に差し込みスライドさせて被綴じ物Ｓを止めるスライド式ファイルであり、綴じ孔Ｓ１を有する被綴じ物Ｓを、嵌挿されて保持する挟持具２１２を備える。
【００３２】
挟持具１２は、被綴じ物Ｓの一方面を保持する第１挟持体２２０と、被綴じ物Ｓの他方面を保持する第２挟持体２２２と、第１挟持体２２０と第２挟持体２２２とを連設する連設部２２４とを備え、対向する第１挟持体２２０と第２挟持体２２２とは、連設部２２４により連設されるとともに連設部２２４とは反対側の第１挟持体２０及び第２挟持体２２のそれぞれの自由端に開口部たる挿入部２２６を形成され、弾力性を有する、例えばポリアセタール樹脂によって全体が一体成形されてなる。
第１挟持体２２０及び第２挟持体２２２は、挿入部２２６側の自由端が断面略円形状の第１口唇状縁２２０ａ及び第２口唇状縁２２２ａが長手方向に連続して形成され、第１挟持体２２０の第１口唇状縁２２０ａと第２挟持体２２２の第２口唇状縁２２２ａとは、被綴じ物Ｓを綴じていないときには接し合っており、被綴じ物Ｓを綴じたときには被綴じ物Ｓの表面側及び裏面側より挟んで弾力性により押圧する。
なお、この例においては、綴杆部材１４は、備えておらず、第１綴杆挿入孔２８及び第２綴杆挿入孔３０、掛止抜止部挿入孔３２を備えていない。
【００３３】
そして、表紙部材１００の表表紙部１０２と裏表紙部１０４との間に挟みこまれた被綴じ物Ｓは、表紙部材１００とともにその綴じ代側を挟持具２１２の挿入部２２６にスライドして嵌挿させる。
このとき、表紙部材１００の突出部１０８は、表表紙部１０２及び／又は裏表紙部１０４の挟持される側の（長手）端縁において、挟持される側とは反対側の開放される側の（長手）端縁に向けて突出し、第１挟持体２２０（又は第２挟持体２２２）の挿入部２２６より内側に収容される長さを有し、特に表紙部材１００の突出部１０８の先端縁１２０が第１挟持体２２０の段差３４の内面の凸条の案内部２３４ａの内側面（連設部２４側の面）に接するように形成されているので、案内部２３４ａに先端縁１２０が沿って差し込まれ挿入部２２６より広い連設部２２４側に向けて押されて案内される。
而して、比較的軽く円滑に挟持具２１２をスライドして被綴じ物Ｓを挟み込んだ表紙部材１００が差し込まれ、第１挟持体２２０と第２挟持体２２２との間に、表紙部材１００が被綴じ物Ｓとともに挟持される。
挟持された表紙部材１００及び被綴じ物Ｓは、突出部１０８の先端縁１２０が案内部２３４ａの内面に突き当たり、挟持具２１２より抜け出にくい。
【図面の簡単な説明】
【００３４】
【図１】この発明の一実施の形態である綴じ具の斜視図である。
【図２】図１図示綴じ具の挟持具に表紙部材及び被綴じ物を挟み込む前の状態を示す    斜視図解図である。
【図３】図１図示綴じ具の挟持具に表紙部材及び被綴じ物を挟み込む方法を示す斜視    図解図である。
【図４】図１図示綴じ具の挟持具に表紙部材及び被綴じ物を挟み込む方法を示す斜視    図解図である。
【図５】表紙部材を展開した状態における平面図解図である。
【図６】表紙部材の要部の一部を断面とした斜視図解図である。
【図７】図１図示綴じ具の挟持具の斜視図解図である。
【図８】図１図示綴じ具の挟持具の横断面図である。
【図９】被綴じ物を挟持した状態における図１図示綴じ具の横断面図解図である。
【図１０】図１図示綴じ具の挟持具の平面図である。
【図１１】図１図示綴じ具の挟持具の側面図であり、（Ａ）は口唇状縁側の側面図であり、（Ｂ）は連設部側の側面図である。
【図１２】図１図示綴じ具の挟持具の縦断面図であり、（Ａ）は、第１挟持体側の図で、（Ｂ）は、第２挟持体側の図である。
【図１３】図１図示綴じ具の綴杆部材の斜視図解図である。
【図１４】図１図示綴じ具の綴杆部材の正面図である。
【図１５】図１図示綴じ具の綴杆部材の底面図である。
【図１６】図１図示綴じ具の綴杆部材の一部を断面とした図解図である。
【図１７】図１図示綴じ具の挟持具に被綴じ物を挟み込む方法を示す斜視図解図であ    る。
【図１８】図１図示綴じ具の挟持具に被綴じ物を挟み込む方法を示す斜視図解図であ    る。
【図１９】図１図示綴じ具の変形例の斜視図解図である。
【図２０】図１９図示綴じ具の正面図解図である。
【図２１】図１９図示綴じ具の挟持具に表紙部材及び被綴じ物を挟み込む方法を示す    斜視図解図である。
【図２２】従来のスライドレール式ファイルの斜視図解図である。
【図２３】従来のスライドレール式ファイルにおいて被綴じ物を挟み込む方法を示す    斜視図解図である。
【符号の説明】
【００３５】
１０，２１０  綴じ具
１２，２１２  挟持具
１４  綴杆部材
２０，２２０  第１挟持体
２０ａ，２２０ａ  第１口唇状縁
２２，２２２  第２挟持体
２２ａ，２２２ａ  第２口唇状縁
２４，２２４  連設部
２６，２２６  挿入部
２８  第１綴杆装入孔
３０  第２綴杆装入孔
３２  掛止抜止部挿入孔
３４，２３４  段差
３４ａ，２３４ａ  案内部
３６  凸部
４０  挿入杆部
４０ａ  首部
４２  係止頭部
４２ａ  基板
４２ｂ  膨出部
４２ｃ  長溝
４２ｄ  平面部
４２ｅ  傾斜面部
４４  掛止抜止部
４６  凹部
Ｓ  綴じ物
Ｓ１  綴じ孔
１００  表紙部材
１０２  表表紙部
１０４  裏表紙部
１０６  介在部
１０８  突出部
１１０  第１の突出シート
１１２  第１のヒンジ部
１１４  第２の突出シート
１１６  第２のヒンジ部
１１８  第３のヒンジ部
１２０  先端縁
１２０ａ  ミシン目
１３０  表表紙部綴じ孔
１３２  裏表紙部綴じ孔
Ｃ  回転補助具
【図１】
2008194833.tif 000003
【図２】
2008194833.tif 000004
【図３】
2008194833.tif 000005
【図４】
2008194833.tif 000006
【図５】
2008194833.tif 000007
【図６】
2008194833.tif 000008
【図７】
2008194833.tif 000009
【図８】
2008194833.tif 000010
【図９】
2008194833.tif 000011
【図１０】
2008194833.tif 000012
【図１１】
2008194833.tif 000013
【図１２】
2008194833.tif 000014
【図１３】
2008194833.tif 000015
【図１４】
2008194833.tif 000016
【図１５】
2008194833.tif 000017
【図１６】
2008194833.tif 000018
【図１７】
2008194833.tif 000019
【図１８】
2008194833.tif 000020
【図１９】
2008194833.tif 000021
【図２０】
2008194833.tif 000022
【図２１】
2008194833.tif 000023
【図２２】
2008194833.tif 000024
【図２３】
2008194833.tif 000025